(57)【要約】【課題】電力消費を抑えた手段により、感光体ドラムの内部或いは近傍に備えられた加熱手段から生じる熱を現像ローラが受けて熱変形を起こすことを防ぐこと。【解決手段】感光体ドラムと、該感光体ドラムの内部又は近傍に配される加熱手段と、前記感光体ドラム表面に形成した静電潜像にトナーを現像する現像ローラを備える画像形成装置であって、前記現像ローラが移動可能に形成され、該現像ローラは、前記感光体ドラムと近接する第１位置と、該第１位置よりも前記感光体ドラムから離間した第２位置にて位置決めされることを特徴とする画像形成装置とする。【選択図】図２
2008299137.tif 000002
【特許請求の範囲】
【請求項１】
感光体ドラムと、該感光体ドラムの内部又は近傍に配される加熱手段と、前記感光体ドラム表面に形成した静電潜像にトナーを現像する現像ローラを備える画像形成装置であって、
前記現像ローラが移動可能に形成され、該現像ローラは、前記感光体ドラムと近接する第１位置と、該第１位置よりも前記感光体ドラムから離間した第２位置にて位置決めされることを特徴とする画像形成装置。
【請求項２】
画像形成装置内部を移動可能に取り付けられた移動式鏡板と、
該鏡板に一端部が固定されるとともに他端部が前記画像形成装置内部の壁部材に固定されたバネを更に備え、
前記現像ローラは、前記鏡板の一の側縁近傍に固定され、
前記バネは、前記現像ローラが前記感光体ドラムから離間する方向に、前記鏡板を付勢することを特徴とする請求項１記載の画像形成装置。
【請求項３】
回転駆動装置と、
該回転駆動装置と接続する位置決めレバーを更に備え、
前記回転駆動装置は、前記位置決めレバーに往復回転動作を与え、
前記位置決めレバーが一の回転方向に回転するとき、該位置決めレバーが前記鏡板の一の側縁に対向する他の側縁に当接し、前記鏡板を移動させ、これにより、該現像ローラが前記第１位置に移動し、
前記位置決めレバーが他の回転方向に回転するとき、前記バネの付勢により前記鏡板が移動し、これにより前記現像ローラが前記第２位置に移動することを特徴とする請求項２記載の画像形成装置。
【発明の詳細な説明】
【技術分野】
【０００１】
本発明は電子写真方式を用いる複写機、プリンタ等の画像形成装置に関する。詳細には、感光体ドラムの内部或いは近傍に備えられた加熱手段から生じる熱を現像ローラが受けて熱変形を起こすことを防ぐことを目的として、感光体ドラムと現像ローラの間の距離を調節可能とした画像形成装置に関する。
【背景技術】
【０００２】
複写機のような電子写真方式を用いた画像形成装置の感光体ドラムは、アルミニウム等の導電性ドラム基体と、ドラム基体外周を覆うように配されたＯＰＣ（有機光半導体）やアモルファスシリコン等の感光層から構成される。
【０００３】
このような感光体ドラムは、帯電器で発生した放電生成物がその表面に付着しやすく、この放電生成物は湿度に敏感で、容易に水分を吸着する。これにより、表面の電荷保持力が低下し、表面電荷が横方向に移動してしまう。その結果、いわゆる「画像流れ」が生じ、転写された用紙の画像がぼけるという問題が起こる。
【０００４】
従来、このような問題を解消するために、感光体ドラム内部にドラムヒータを備えて内側から加熱する、或いは感光体ドラム近傍に備えた加熱手段により感光体ドラム表面を加熱することにより、感光体ドラムの温度を常時４０℃から５０℃の温度に保つ方法が採られてきた。こうすることによって感光体ドラム表面の相対湿度を低下させることが可能となるため、感光体ドラム表面に水分が吸着するのを防止することができる。（特許文献１参照）
【０００５】
しかしながら、このように感光体ドラム表面の水分除去のために備えられた加熱手段により発生した熱は、その感光体ドラムに当接する現像ローラにも及び現像ローラの熱変形を引き起こす。現像ローラは、現像を行わないときは回転駆動されないので、現像ローラ表面のうち感光体ドラムに対向する側のみが感光体ドラムの熱を受ける。逆に、感光体ドラムに対向していない部分は熱を受けない。これにより、現像ローラの表面は、局部的に熱膨張して熱変形を生じることとなる。このような局部的に熱変形した現像ローラにより画像形成を行うと、感光体ドラムに付着させるトナー量が部分的に異なり、得られる画像濃度にムラが生じる。
【０００６】
この問題を解決するため、特許文献２には、その内部にヒータを備えた感光体ドラムと、該感光体ドラムに対向して配置された現像剤担持体を有する現像装置を有する画像形成装置において、現像剤担持体として内部に空洞のない円柱状の金属ローラを用いる方法が開示されている。この発明は、現像剤担持体が電子写真感光体ドラムからの熱を部分的に受けても内部に空気層がないために、熱変性を起こしにくくしようとするものである。
【０００７】
【特許文献１】特開平０１‐２８２５７０号公報
【特許文献２】特開平１１‐１７４８２０号公報
【発明の開示】
【発明が解決しようとする課題】
【０００８】
しかしながら、特許文献２に記載の発明で使用される現像剤担持体は、その内部に空洞を有さない円柱状の金属を備えているから、この現像剤担持体を駆動させるために多大な電力を消費するため、エネルギー効率が低下するという問題を有していた。
従って、本発明は、電力消費を抑えた手段により、感光体ドラムの内部或いは近傍に備えられた加熱手段から生じる熱を現像ローラが受けて熱変形を起こすことを防ぐことを課題とする。
【課題を解決するための手段】
【０００９】
請求項１に係る発明は、感光体ドラムと、該感光体ドラムの内部又は近傍に配される加熱手段と、前記感光体ドラム表面に形成した静電潜像にトナーを現像する現像ローラを備える画像形成装置であって、前記現像ローラが移動可能に形成され、該現像ローラは、前記感光体ドラムと近接する第１位置と、該第１位置よりも前記感光体ドラムから離間した第２位置にて位置決めされることを特徴とする画像形成装置に関する。
【００１０】
請求項２に係る発明は、画像形成装置内部を移動可能に取り付けられた移動式鏡板と、該鏡板に一端部が固定されるとともに他端部が前記画像形成装置内部の壁部材に固定されたバネを更に備え、前記現像ローラは、前記鏡板の一の側縁近傍に固定され、前記バネは、前記現像ローラが前記感光体ドラムから離間する方向に、前記鏡板を付勢することを特徴とする請求項１記載の画像形成装置に関する。
【００１１】
請求項３に係る発明は、回転駆動装置と、該回転駆動装置と接続する位置決めレバーを更に備え、前記回転駆動装置は、前記位置決めレバーに往復回転動作を与え、前記位置決めレバーが一の回転方向に回転するとき、該位置決めレバーが前記鏡板の一の側縁に対向する他の側縁に当接し、前記鏡板を移動させ、これにより、該現像ローラが前記第１位置に移動し、前記位置決めレバーが他の回転方向に回転するとき、前記バネの付勢により前記鏡板が移動し、これにより前記現像ローラが前記第２位置に移動することを特徴とする請求項２記載の画像形成装置に関する。
【発明の効果】
【００１２】
請求項１に記載の発明は、感光体ドラムと、該感光体ドラムの内部又は近傍に配される加熱手段と、前記感光体ドラム表面に形成した静電潜像にトナーを現像する現像ローラを備える画像形成装置であって、前記現像ローラが移動可能に形成され、該現像ローラは、前記感光体ドラムと近接する第１位置と、該第１位置よりも前記感光体ドラムから離間した第２位置にて位置決めされることを特徴とする画像形成装置である。
【００１３】
本実施形態によると、画像形成動作を行う時は現像ローラを第１位置にて位置決めし、画像形成動作を行わない時は、現像ローラを感光体ドラムから離間させた第２位置にて位置決めすることによって、加熱手段により発生した熱が現像ローラに及ぶことを防ぐことができる。したがって、現像ローラが回転駆動していない時（即ち、画像形成動作を行わない時）に、現像ローラが加熱手段からの熱を受けて局部的に熱膨張して熱変形を生じることを防ぐ。
【００１４】
請求項２に記載の発明は、画像形成装置内部を移動可能に取り付けられた移動式鏡板と、該鏡板に一端部が固定されるとともに他端部が前記画像形成装置内部の壁面に固定されたバネを更に備え、前記現像ローラは、前記鏡板の一の側縁近傍に固定され、前記バネは、前記現像ローラが前記感光体ドラムから離間する方向に、前記鏡板を付勢することを特徴とする請求項１記載の画像形成装置である。
【００１５】
本実施形態によると、現像ローラの位置決めはバネにより行われる。詳細には、前記バネは、前記現像ローラが前記感光体ドラムから離間する方向に、即ち、第１位置から第２位置の方向に付勢する。したがって、本実施形態は小さな消費電力により現像ローラの位置決めが実現するという利点がある。
【００１６】
請求項３に記載の発明は、回転駆動装置と、該回転駆動装置と接続する位置決めレバーを更に備え、前記回転駆動装置は、前記位置決めレバーに往復回転動作を与え、前記位置決めレバーが一の回転方向に回転するとき、該位置決めレバーが前記鏡板の一の側縁に対向する他の側縁に当接し、前記鏡板を移動させ、これにより、該現像ローラが前記第１位置に移動し、前記位置決めレバーが他の回転方向に回転するとき、前記バネにより前記鏡板が移動し、これにより前記現像ローラが前記第２位置に移動することを特徴とする請求項２記載の画像形成装置である。
【００１７】
本実施形態によると、回転駆動装置と位置決めレバーによって、バネが付勢する方向と逆の方向へ現像ローラを移動させることにより、現像ローラを第２位置から第１位置への方向の移動を可能とする。
【発明を実施するための最良の形態】
【００１８】
以下、本発明の画像形成装置を、図面を参照しつつ説明する。
図１に、本発明の画像形成装置の一実施形態としての複合機（１）を示す。
【００１９】
複合機（１）は、複写機、プリンタ、ファクシミリ及びスキャナとしての機能を併有する画像形成装置であり、操作パネル（図示せず）と、画像読取部（５）と、制御部（図示せず）と、給紙部（９）と、画像形成部（１１）と、定着部（１３）と、排紙部（１５）とを備えている。
【００２０】
操作パネルは、原稿のコピーや読み取りを指示するためのスタートキーや、種々の印刷条件を設定するための設定キー等を有している。また、操作パネルは、種々の操作画面が表示されるタッチパネル式の液晶ディスプレイを有している。
【００２１】
画像読取部（５）は、複合機本体（１ａ）上面の原稿台（２）上の原稿の画像情報を読みとるためのものであり、図示しない光学系、ＣＣＤ等を有している。
【００２２】
制御部は、ＣＰＵ、ＲＡＭ及びＲＯＭ等を含むマイクロコンピュータで構成され、画像読取部（５）、画像形成部（１１）等の入出力部の制御や、画像情報に対する画像処理等を行う。ＲＯＭには、これらの動作のための各種プログラムデータが格納され、ＣＰＵによりＲＡＭに読み出され、実行される。
【００２３】
給紙部（９）は、複合機本体（１ａ）の底部に配置された複数の給紙カセット（１０）と、複合機本体（１ａ）の側部に設けられた手差しトレイ（１２）とを有し、これらにセットされた用紙（記録媒体）を１枚ずつ画像形成部（１１）に向けて搬送するための給紙ローラ（８）及びこれを駆動する駆動用モータ（図示せず）を有している。
【００２４】
画像形成部（１１）は、給紙部（９）から搬送される用紙に対し、電子写真プロセスによりトナー像を形成するものであり、所定の回転方向（矢印Ｘ方向）に回転駆動される感光体ドラム（２１）（像担持体）と、感光体ドラム（２１）の周囲に回転方向上流側から順に配置された、主帯電装置（２３）、露光器（２５）、現像装置（２７）、転写装置（２９）、クリーニング装置（３１）、及び除電装置（３３）を備えている。
【００２５】
感光体ドラム（２１）は、表面に感光層を備えた回転体であり、画像形成命令を受けて所定の回転速度で回転する。加熱手段であるドラムヒータ（２２）は、感光体ドラム（２１）の内部に備わり、感光体ドラム内部から感光体ドラム表面を加熱することにより、ドラム表面の水分を除去することができる。これにより、感光体ドラム表面の水分が原因で生じる「画像流れ」を回避することができる。図１中では、ドラムヒータ（２２）は、感光体ドラム（２１）の内部に備わるが、例えば、本発明にかかる加熱手段は、感光体ドラム（２１）の近傍に備えられてもよい。この場合、ドラムヒータ（２２）は、感光体ドラム（２１）の表面を外側から加熱することにより、該表面の水分を除去する。
【００２６】
主帯電装置（２３）は、高電圧が印加される帯電ワイヤを有し、この帯電ワイヤによるコロナ放電によって感光体ドラム（２１）の表面に所定電位を付与することにより、感光体ドラム（２１）を一様に帯電する。
【００２７】
露光器（２５）は、レーザ光源、ポリゴンミラー等を有し、画像情報に基づいて、帯電した感光体ドラム（２１）に対しレーザ光を照射することで、感光体ドラム（２１）の表面電位が選択的に減衰され、静電潜像が形成される。
【００２８】
現像装置（２７）は、現像ローラ（２８）を備える。この現像ローラ（２８）は、感光体ドラム（２１）に対しトナーを供給して、感光体ドラム（２１）表面の静電潜像を顕像化するために備えられる。現像装置（２７）については、後に詳説する。
【００２９】
転写装置（２９）は、感光体ドラム（２１）表面に形成されたトナー像を、転写バイアスにより用紙側に転写するための装置である。
【００３０】
クリーニング装置（３１）は、ハウジング（３２）と、感光体ドラム（２１）表面に当接するクリーニングブレード（３０）と、ハウジング（３２）内に掻き落とされたトナーを軸方向一側（図１において紙面奥側）に搬送するための撹拌スパイラル（図示せず）とを有し、感光体ドラム（２１）表面に残存するトナーを掻き取り、回収する。
【００３１】
除電装置（３３）は、感光体ドラム（２１）表面の残存電位を除去するためのものである。
【００３２】
定着部（１３）は、画像形成部（１１）の用紙搬送方向下流側に配置され、ヒータを内蔵する加熱ローラ（１６）及び加圧ローラ（１８）を有し、トナー像が転写された用紙は、両ローラ（１６，１８）にニップされることでトナー像が溶融定着される。
【００３３】
排紙部（１５）は、定着部（１３）を通った用紙を複合機本体（１ａ）の側部の排紙トレイ（１４）に排紙するためのものであり、ローラ及びこれを駆動する駆動モータ等を有している。
【００３４】
また、複合機（１）は、他の入出力部として、自動原稿送り装置（１７）、トナー補給装置（図示せず）等をさらに備えてもよい。自動原稿送り装置（１７）は、複合機本体（１ａ）上面に対し開閉自在に装着され、複数枚の原稿を１枚ずつ連続的に原稿台（２）に給紙することができる。トナー補給装置は、現像装置（２７）の上方に配置されたトナーカートリッジ（図示せず）から、トナーを補給するためのものであり、現像装置（２７）の残量検知センサ（図示せず）によりトナー残量が少なくなったことが検知されると補給動作を行う。
【００３５】
以上が、画像形成装置に備えられ得る構成要素の説明である。次に、本発明に係る一実施形態を具体的に説明する。
図１をさらに参照する。
【００３６】
本発明に係る実施形態は、現像ローラ（２８）が移動可能に形成されている。現像ローラ（２８）は、感光体ドラム（２１）と近接する第１位置と、第１位置よりも前記感光体ドラム（２１）から離間した第２位置にて位置決めされる。
【００３７】
「現像ローラ（２８）が第１位置にある」とは、「現像ローラ（２８）が感光体ドラム（２１）へトナーを供給して、ドラム（２１）の表面の静電潜像を顕著化することが可能であるように位置する」ことを意味する。即ち、現像ローラ（２８）が第１位置にあるとき、画像形成装置において、画像形成動作が可能となる。
【００３８】
第２位置とは、現像ローラ（２８）と感光体ドラム（２１）の間の距離が、前記第１位置よりも大きい任意の位置を意味する。感光体ドラム（２１）は、その内部にドラムヒータ（２２）を備える。このドラムヒータ（２２）から感光体ドラム（２１）に対し、所定の熱が送られており、現像ローラが第２位置にあるときに受けるドラムヒータ（２２）の熱量は、現像ローラが第１位置にあるときに受ける熱量よりも少ない。
本実施形態において、現像ローラ（２８）が第２位置にあるときは、ドラムヒータ（２２）から生じる熱を殆ど受けないことが好ましい。
【００３９】
この実施形態によると、画像形成動作を行う時は現像ローラを第１位置にて位置決めし、画像形成動作を行わない時は、第２位置にて位置決めすることによって、加熱手段により発生した熱が現像ローラ（２８）に及ぶことを防ぐことができる。即ち、第２位置にある画像ローラ（２８）は、現像ローラ（２８）が加熱手段から部分的に熱を受けることにより生じる局部的な熱膨張が防がれている。
【００４０】
したがって、現像ローラ（２８）は、画像形成装置が画像形成動作を行わない時（例えば、画像形成装置立ち上げ中の時）であってドラムヒータ（２２）等の加熱手段が稼動している時に、第２位置に位置決めされることが望ましい。
【００４１】
次に、現像ローラ（２８）が第１位置と第２位置の間を移動する手段について説明する。
図１中、現像装置（２７）にその一端部が接続されるバネ（５０）、このバネ（５０）の他方の端部が固定される壁部材（６０）、さらに現像装置（２７）の近傍に配される位置決めレバー（７０）を示す。
【００４２】
図２は、図１の現像装置（２７）付近を拡大した部分拡大図であり、現像ローラ（２８）が第１位置にあるときの状態を示す。
図２は、感光体ドラム（２１）と、該感光体ドラム（２１）と隣接する移動式鏡板（４０）を示し、この鏡板（４０）は、現像装置（２７）のうち少なくとも現像ローラ（２８）を備える。図２の鏡板（４０）は、その一の側縁（９０）近傍に現像ローラ（２８）が配されている。図２において、鏡板（４０）を介して感光体ドラム（２１）に対向するようにして、即ち、鏡板（４０）の他の側縁（９１）に隣り合うように壁部材（６０）が配されている。また、図２中、前記鏡板（４０）の他の側縁（９１）近傍に固定されるバネ（５０）が示され、このバネ（５０）の他方の端部は、壁部材（６０）に固定されている。
【００４３】
尚、図示例の壁部材（６０）はＬ字形状であり、以下、この壁部材（６０）のうち上下方向に延設する部分を第１部分（６０Ａ）、左右方向に延設する部分を第２部分（６０Ｂ）という。
【００４４】
前記移動式鏡板（４０）は、画像形成装置の内部において移動可能に取り付けられるとともに、一の側縁近傍（９０）に少なくとも現像ローラ（２８）を備える。図２に示される鏡板（４０）は、現像ローラ（２８）の他に、トナー収容ケース、このトナー収容ケースからトナーを現像ローラに供給するための機構も搭載されている。
本実施形態においては、鏡板（４０）を移動させることにより、現像ローラ（２８）の位置決めをすることが可能となる。
【００４５】
移動式鏡板（４０）の一の側縁（９０）は、弧状に且つ内方に湾曲し、前記現像ローラ（２８）は、この側縁（９０）近傍に備えられている。現像ローラ（２８）の周面の一部は、前記側縁（９０）を超えて外方に突出しており、この突出した周面と感光体ドラム（２１）表面が近接することにより、ドラム（２１）表面に形成した静電潜像にトナーを現像することが可能となる。
【００４６】
鏡板（４０）の他の側縁（９１）（壁部材の第１部分（６０Ａ）に隣り合う側縁）近傍は、バネ固定端（５２）を有し、これを介してバネ（５０）が取り付けられている。さらにバネ（５０）の他方のバネ固定端（５１）は、壁部材の第１部分（６０Ａ）に取り付けられる。
本発明の画像形成装置において、図１および図２の如く、バネ（５０）を取り付けるための壁部材（６０）を設けてもよく、或いは、画像形成装置の本体（図１中（１ａ））の内壁にバネ固定端（５１）を取り付けてもよい。
【００４７】
前記バネ（５０）は、好ましくは、現像ローラ（２８）が感光体ドラム（２１）から離間する方向（図２中、矢印Ｙ）に付勢する。図２は、現像ローラ（２８）が第１位置にあるときの状態を示し、この状態においてバネ（５０）は引き伸ばされた状態にある。
【００４８】
この実施形態によると、現像ローラ（２８）の位置決めは、バネの伸縮により実行される。即ち、バネ（５０）が引き伸ばされた状態であるとき、現像ローラ（２８）は第１位置にあり、一方、バネ（５０）が縮められた状態であるとき、現像ローラ（２８）は第２位置にある。図２において、バネ（５０）は横方向に備えられているが、例えばバネ（５０）を斜め方向や縦方向に備えられてもよい。例えば、縦方向のバネを使用した場合は、好ましくは、鏡板の上部縁近傍にバネ固定部（５２）が取り付けられ、現像装置（２７）の上部に壁部材が設けられる。
【００４９】
図２において、前記鏡板（４０）の下方に配される移動レール板（６１）、前記壁部材の第２部分（６０Ｂ）に配されている第２位置ストッパ（６２）と前記鏡板（４０）の近傍に配される位置決めレバー（７０）が更に示されている。
位置決めレバー（７０）は、鏡板（４０）に接触して鏡板（４０）の他の側縁（９１）を移動させることにより、現像ローラ（２８）を第２位置から第１位置に移動させる。
図２で示す位置決めレバー（７０）は、回転軸（７１）を備え、この回転軸（７１）は、画像形成装置内部において固定されている。位置決めレバー（７０）は、回転軸（７１）を軸として、回転可能に設計されている。そして、図２の位置決めレバー（７０）は、回転軸（７１）を軸にして９０度回転するように駆動させることにより、鏡板（４０）をバネ（５０）が付勢する方向と逆の方向に押し出すように移動させて現像ローラ（２８）を第１位置に移動させる。
本実施形態においては、バネ（５０）は、感光体ドラム（２１）から現像ローラ（２８）が離間する方向に付勢しているから、鏡板（４０）は、常時感光体ドラム（２１）から離間する方向に引っ張られている。したがって、回転軸（７１）の位置、位置決めレバー（７０）の寸法、および位置決めレバー（７０）の回転角度を調節することにより、現像ローラ（２８）の第１位置を決定することができる。
【００５０】
本実施形態において、好ましくは、回転駆動装置（図示せず）を更に備え、この回転駆動装置により位置決めレバー（７０）を駆動させる。この回転駆動装置は、使用者により操作されても自動的に操作されてもよいが、本実施形態においては、ステッピングモータが使用されている。
【００５１】
図２において、さらに、画像形成装置筐体背面の内壁面から前面に向かって延設してローラ（８０）とかみ合うように設計されている移動レール板（６１）を示す。この移動レール板（６１）表面には、レールが備えられ、このレール上を移動ローラ（８０）が通るように設計されている。移動レール板（６１）と移動ローラ（８０）により、現像ローラの第１位置から第２位置へ、或いは第２位置から第１位置へスムーズに移動可能となる。
さらに、移動レール板（６１）は、移動ローラ（８０）の移動の予備的なストッパとして機能する。即ち、図２で示す如く、移動レール板（６１）をＵ字状に設計することにより、ローラ（８０）を所定の位置で留めるためのストッパとして機能させることができる。
【００５２】
次に図３を参照する。
図３は、図１の現像装置（２７）付近を拡大した部分拡大図であり、現像ローラ（２８）が第２位置にあるときの状態を示す。
バネ（５０）は、現像ローラ（２８）が感光体ドラム（２１）から離間する方向に付勢しているから、位置決めレバー（７０）を解除すると、即ち位置決めレバー（７０）と鏡板（４０）が接触していない状態であるとき、現像ローラ（２８）が感光体ドラム（２１）から離間した位置（第２位置）に位置決めされる。
即ち、バネ（５０）の付勢によって、現像ローラ（２８）を第１位置から第２位置へ移動させることができる。
【００５３】
図３において、現像ローラ（２８）を第１位置から第２位置へ移動させるために、位置決めレバー（７０）は回転軸（７１）を中心に、略９０度回転される。この９０度の回転は、現像ローラ（２８）を第２位置から第１位置へ移動させるときと逆回転であることが望ましい。図３が示す如く、現像ローラ（２８）が第２位置に位置するとき、位置決めレバー（７０）は鏡板（４０）と接触していない。
【００５４】
第２位置ストッパ（６２）は、現像ローラ（２８）を第２位置に位置決めするときに、鏡板（４０）の移動を停止するために設けられる。図２及び図３中、ストッパ（６２）は、壁部材の第２部分（６０Ｂ）に備えられている。
前述の通り、バネ（５０）は、現像ローラ（２８）が感光体ドラム（２１）から離間する方向（矢印Ｙ）に付勢している。したがって、第２位置ストッパ（６２）がなければ、バネ（５０）の付勢する方向に鏡板（４０）が引っ張られることとなる。また、第２位置ストッパ（６２）は、バネ（５０）がある程度伸びた状態で停止して、現像ローラ（２８）を第２位置に停止させるように設けられる。こうすることにより、現像ローラ（２８）が第２位置であるとき、鏡板（４０）は第２位置ストッパ（６２）の側面に接触して停止することができ、鏡板（４０）が第１位置の方向へ、ひとりでに移動することを防ぐことができる。
【００５５】
本発明の画像形成装置は、画像形成動作を行う時は現像ローラ（２８）を第１位置にて位置決めし、画像形成動作を行わない時は、現像ローラ（２８）を感光体ドラム（２１）から離間させる第２位置にて位置決めすることによって、加熱手段により発生した熱が現像ローラ（２８）に及ぶことを防ぐことができる。したがって、現像ローラ（２８）が回転駆動していない時（即ち、画像形成動作を行わない時）に、現像ローラ（２８）が加熱手段からの熱を受けて局部的に熱膨張して熱変形を生じることを防ぐことができる。
【００５６】
本発明の他の実施形態において、前記現像ローラ（２８）の位置決めは、バネ（５０）により行われる。そして、バネ（５０）は、前記現像ローラ（２８）が前記感光体ドラム（２１）から離間する方向に、即ち、第１位置から第２位置の方向に付勢する。したがって、本画像形成装置は比較的小さな電力により現像ローラ（２８）の位置決めが実現するという利点を有する。
【００５７】
本発明に係る他の実施形態によると、回転駆動装置と位置決めレバー（７０）によって、バネ（５０）が付勢する方向と逆の方向へ現像ローラ（２８）を移動させることができる。従って、使用者の所望の時間帯に現像ローラを第１位置へ、或いは第２位置へ移動することが可能である。或いは、この現像ローラの位置決めは自動に行われてもよく、例えば、画像形成装置が立ち上げ中で加熱手段が稼動している時であって、現像ローラ（２８）が回転していない時、即ち画像形成が行われていないときに現像ローラを第２位置に位置決めされる。
【図面の簡単な説明】
【００５８】
【図１】本発明の画像形成装置の要部構造を模式的に示す縦断面図である。
【図２】図１に示す現像装置付近の部分拡大図であって、現像ローラが第１位置にある状態を示す。
【図３】図１に示す現像装置付近の部分拡大図であって、現像ローラが第２位置にある状態を示す。
【符号の説明】
【００５９】
２１・・・感光体ドラム
２８・・・現像ローラ
４０・・・移動式鏡板
６０・・・壁部材
５１・・・バネ
７０・・・位置決めレバー
９０・・・移動式鏡板の一の側縁
９１・・・移動式鏡板の他の側縁
【図１】
2008299137.tif 000003
【図２】
2008299137.tif 000004
【図３】
2008299137.tif 000005